(57)【要約】【課題】天井高の低い収納室への出入りする際であっても部屋内でかがむ動作を行う必要のない作業空間付き収納室とそれを有する建物に関する。  【解決手段】建物Ａの部屋Ｄに隣接した位置に設けられた、床レベルが部屋Ｄと略同一である作業空間付き収納室Ｃであって、前記作業空間付き収納室Ｃは、天井高さが８００ｍｍ以上１６００ｍｍ以下の範囲になされた収納空間Ｇと、天井高さが１８００ｍｍ以上になされた作業空間Ｆで構成され、前記作業空間Ｆは、収納空間Ｇと部屋Ｄとの間に配置され、部屋Ｄから前記作業空間Ｆに出入りするための出入口３の有効高さが１８００ｍｍ以上になされているものである。【選択図】  図１
2007063866.tif 000002
【特許請求の範囲】
【請求項１】
建物の部屋に隣接した位置に設けられた、床レベルが部屋と略同一である作業空間付き収納室であって、
前記作業空間付き収納室は、天井高さが８００ｍｍ以上１６００ｍｍ以下の範囲になされた収納空間と、天井高さが１７５０ｍｍ以上になされた作業空間で構成され、
前記作業空間は、収納空間と部屋との間に配置され、
部屋から前記作業空間に出入りするための出入口の有効高さが１７５０ｍｍ以上になされていることを特徴とする作業空間付き収納室。
【請求項２】
上記作業空間が前記出入口から奥行き方向へ６００ｍｍから１４００ｍｍの長さに構成されており、前記収納空間が作業空間より奥行き方向に１８００ｍｍ以上の長さになされていることを特徴とする請求項１記載の作業空間付き収納室。
【請求項３】
前記作業空間の側面上部に開口部が設けられていることを特徴とする請求項１又は請求項２記載の作業空間付き収納室。
【請求項４】
前記出入口の有効高さが部屋の他の出入口と略同一高さになされていることを特徴とする請求項１乃至請求項３のいずれかに記載の作業空間付き収納室。
【請求項５】
請求項１乃至請求項４のいずれかに記載の作業空間付き収納室を有する建物。
【発明の詳細な説明】
【技術分野】
【０００１】
本発明は、部屋内から天井高の低い収納室への出入りする際であっても部屋内でかがむ動作を行う必要のない作業空間付き収納室とそれを有する建物に関する。
【背景技術】
【０００２】
一般に、住宅においては、収納スペースを確保するために、各部屋に押入れや納戸を設けたり、小屋裏部分や下屋部分などを利用した収納室を設けたりすることが知られている。特に小屋裏部分や下屋部分に設ける収納室は、建築基準法により１４００ｍｍ以下の天井高さで、下階床面積の１／２までの大きさであれば延べ床面積に算入しなくてもよいため近年広く採用されている。例えば、特許文献１では、下屋付き建物において、下屋部分に収納室を設け、収納室に隣接する部屋より出入り可能な収納室として利用できるようにしている。
【特許文献１】特開平６−３２３０１１号
【発明の開示】
【発明が解決しようとする課題】
【０００３】
上記の小屋裏部分に設けた収納室は比較的大きな収納スペースを確保でき有効であるが、下の部屋から収納室に出入りするためにはしご等を使用して昇降する必要があり、円滑かつ容易に収納物の出し入れを行うことができない。
【０００４】
また、特許文献１の下屋部分に設けた収納室では。下屋部分であるため収納室の天井面が隣接する部屋の天井面より低い構成になるため、収納室への出入り口の高さは低いものとなる。このため、部屋で一旦かがみこんでから進入する必要がある。かがんで進入する動作は見苦しくフォーマルな部屋に隣接して収納室は設けにくい。また、出入口の建具の高さも低いものとなり、部屋内の他の出入口の建具高さと揃わず部屋の統一感が損なわれる。しかも、高さが低いので建具を専用部材として作成する必要もある。
【０００５】
したがって、本発明では、天井高さの低い収納室であっても、部屋からの出入りに際し、部屋内でかがむ動作を行う必要がなく、部屋内の他の出入口との建具高さを揃えることができる作業空間付き収納室を提供することにある。
【課題を解決するための手段】
【０００６】
請求項１記載の発明は、建物の部屋に隣接した位置に設けられた、床レベルが部屋と略同一である作業空間付き収納室であって、
前記作業空間付き収納室は、天井高さが８００ｍｍ以上１６００ｍｍ以下の範囲になされた収納空間と、天井高さが１７５０ｍｍ以上になされた作業空間で構成され、
前記作業空間は、収納空間と部屋との間に配置され、
部屋から前記作業空間に出入りするための出入口の有効高さが１７５０ｍｍ以上になされていることを特徴とする作業空間付き収納室である。
【０００７】
作業空間付き収納室は建物のどの階に設けてもよく、下屋部分のように上階を設けない構成であってもよいし、上階を設ける構成であってもよい。
作業空間付き収納室に隣接する部屋としては、リビング・ダイニング・寝室・和室などの居室空間であってもよいし、廊下・玄関ホールなどの通路空間であってもよいし、洗面や台所などの水周り空間であってもよい。
【０００８】
収納空間の天井高さは、人がかがんで進入できる高さである８００ｍｍ以上１６００ｍｍ以下の範囲になされたものである。なお、天井高さを１４００ｍｍ以下にし、下階の床面積の１／２以下の面積にすると建築基準法上延べ床面積に算入する必要がないため好ましい。なお、収納空間の天井高さが屋根形状等の関係などにより、一部分が８００ｍｍ以上１６００ｍｍ以下の範囲に含まれない部分があってもよい。
【０００９】
作業空間の天井高さは、人が立って入れる高さである１７５０ｍｍ以上になされている。上限については特に限定しないが、隣接する部屋と略同一高さであれば、作業空間に入った際に違和感がなく好ましい。
【００１０】
本発明の作業空間付き収納室は部屋側より、作業空間、収納空間の順に配置される。
部屋と作業空間の間には仕切りが設けられ、少なくとも１箇所の出入口が設けられ、部屋から作業空間付き収納室への出入りが可能な構成となっている。作業空間と収納空間の間には部分的に仕切りを設けた構成であっても、全く仕切りを設けない構成であってもよい。つまり、作業空間付き収納室へ入る際は、部屋より作業空間を経由して収納空間に入る構成になっている。
【００１１】
部屋から作業空間に出入りするための出入口の有効高さは、一般的な身長の人でもかがんだ動作をとらずに通ることができ、かつ和室の長押高さなどを考慮し、１７５０ｍｍ以上の高さになされている。
【００１２】
収納空間及び作業空間の大きさは限定されるものではなく、部屋との出入口に平行な方向（以下、幅方向とする）の長さ、垂直な方向（以下、奥行き方向とする）の長さが収納空間と作業空間で異なる長さにしてもよい。なお、作業空間の奥行き方向については作業できる領域を確保する大きさを確保すればよく奥行き方向をあまり長くしない方が好ましい。収納空間については、収納量を確保するため、可能な限り幅方向、奥行き方向供に長くすることが好ましい。
【００１３】
請求項１記載の発明によれば、部屋から作業空間に出入りするための出入口の有効高さが１７５０ｍｍ以上になされているので、一般的な身長の人であれば、かがんだ動作をとることなく容易に作業空間付き収納室の作業空間に出入りすることができる。そして作業空間に進入後に、出入口の建具を閉めて、作業空間内でかがみこみ天井高さの低い収納空間に進入することができるため、部屋の中で、かがみこむ見苦しい動作をとる必要がない。
また、作業空間にキャスター付きチェアー等を仮置きしておき、作業空間内でキャスター付きチェアーに座り、その座ったままの状態で収納空間内に進入し、収納空間内を移動して収納物の出し入れを行うこともできる。
【００１４】
請求項２記載の発明は、請求項１記載の作業空間付き収納室であって、上記作業空間が前記出入口から奥行き方向へ６００ｍｍから１４００ｍｍの長さに構成されており、前記収納空間が作業空間より奥行き方向に１８００ｍｍ以上の長さになされていることを特徴とするものである。
【００１５】
請求項２記載の発明によれば、作業空間が部屋との境より奥行き方向へ６００ｍｍから１４００ｍｍに構成されているので、作業空間内でかがみこむ動作が容易に行うことができる作業領域が確保され、かつ無駄に大き過ぎることもない。また、収納空間が作業空間との境より奥行き方向に１８００ｍｍ以上設けられていることで十分な収納量を確保することができる。
【００１６】
請求項３記載の発明は、請求項１又は請求項２記載の作業空間付き収納室であって、前記作業空間の側面上部に開口部が設けられていることを特徴とするものである。
【００１７】
請求項３記載の発明によれば、作業空間の側面上部に開口部を設けることにより、作業空間付き収納室内に光を採り入れたり、換気を行ったりすることができる。また、開口部の存在により作業空間付き収納室内に開放感が生まれ、実際より広く感じる効果もある。特に収納空間の上部に上階を設けない場合は、作業空間の収納空間側の側面上部に開口部を設けることで自然光を採り入れたり、外気を取り入れて換気することもでき有効である。
【００１８】
請求項４記載の発明は、請求項１乃至請求項３のいずれかに記載の作業空間付き収納室であって、前記出入口の有効高さが部屋の他の出入口と略同一高さになされていることを特徴とするものである。
【００１９】
請求項４記載の発明によると、作業空間付き収納室の出入口が、部屋の他の出入口と略同一高さになされることで、部屋内の出入口の高さが揃い統一感が生まれる。また、作業空間付き収納室の出入口用に専用の建具を作製する必要もない。
【００２０】
請求項５記載の発明は、請求項１乃至請求項４のいずれかに記載の作業空間付き収納室を有する建物である。
【発明の効果】
【００２１】
請求項１記載の作業空間付き収納室によれば、天井高さの低い収納空間があるにもかかわらず、作業空間を設け、部屋から作業空間付き収納室に出入りするための出入口の有効高さが１７５０ｍｍ以上になされることで、一般的な身長の人であれば、かがんだ動作をすることなく容易に作業空間付き収納室の作業空間に進入することができる。そして作業空間に進入後に、出入り口の建具を閉めて、作業空間内でかがみこんで天井高さの低い収納空間に進入することができる。よって、部屋の中でかがみこんで進入するといった見苦しい動作を他の人に見られることもない。
【００２２】
請求項２記載の作業空間付き収納室によれば、作業空間が部屋との境より６００ｍｍから１４００ｍｍに構成されているので、作業空間内でかがみこむ動作が容易に行うことができる作業領域が確保されている。また、収納空間が作業空間との境より奥行き方向に１８００ｍｍ以上設けられていることで十分な収納量を確保することができる。
【００２３】
請求項３記載の作業空間付き収納室によれば、請求項３記載の発明によれば、作業空間の側面上部に開口部を設けることにより、作業空間付き収納室内に光を採り入れたり、換気を行ったりすることができる。また、開口部の存在により作業空間付き収納室内に開放感が生まれ、実際より広く感じる効果もある。
【００２４】
請求項４記載の作業空間付き収納室によれば、作業空間付き収納室の出入口が、部屋の他の出入口と同一高さになされていることで、部屋内の出入口の高さが揃い統一感が生まれる。また、作業空間付き収納室の出入口用に専用の建具を作製する必要もない。
【００２５】
請求項５記載の作業空間付き収納室を有する建物によれば、天井高の低い収納室への出入りであっても容易な姿勢で行うことの出来る作業空間付き収納室を有する建物となる。また、収納室の上部には部屋やロフトを設けた作業空間付き収納室を有する建物とすることもできる。
【発明を実施するための最良の形態】
【００２６】
以下、本発明の、作業空間付き収納室の実施の形態を図１及び図２に基づいて説明する。
【００２７】
図１は本発明の実施例である作業空間付き収納室の断面図であり、図２は本発明の実施例である作業空間付き収納室を有する建物の断視図である。
【００２８】
建物Ａ１は、図２のような建物ユニットを複数個組み合わせることにより出来た２階建てのユニット建物である。２階部分に１箇所、他の標準の天井高さの建物ユニットＢ１等よりも天井高さの低い建物ユニットＢ２を組み合わせることにより、本発明の作業空間付き収納室Ｃを構成している。（図２の斜線部分。）なお、この天井高さの低い建物ユニットＢ２の上部には他の建物ユニットが設けられていない構成になされている。
【００２９】
作業空間付き収納室Ｃは、２階の部屋Ｄに隣接して設けられている。部屋Ｄの用途はリビングになっており、ソファーやローテーブルなどが置かれ家族の団欒やお客さまの接待の場として使用されている。部屋Ｄの天井高さは２４００ｍｍとなっており、部屋Ｄの壁面１ａには廊下Ｅとの出入りに使用する有効高さ２１００ｍｍの出入口２が設けられている。また、他の壁面１ｂには腰窓が設けられている。他の壁面１ｃには作業空間付き収納室Ｃの出入口３が設けられている。この出入口３は扉により開閉できるようになされている。この作業空間付き収納室Ｃの出入口３は部屋Ｄの廊下Ｅとの出入口２と同様の有効高さである２１００ｍｍになされている。
【００３０】
作業空間付き収納室Ｃは、作業空間Ｆと収納空間Ｇにより構成されている。作業空間付き収納室Ｃは部屋Ｄ側より、作業空間Ｆ、収納空間Ｇの順に配置され、作業空間Ｆは部屋Ｄと収納空間Ｇの間に配置された状態になされている。
部屋Ｄと作業空間Ｆの間には仕切りが設けられ、前記作業空間付き収納室Ｃの出入口  ３が設けられ、部屋Ｄから作業空間付き収納室Ｃへの出入りが可能になされている。作業空間Ｆと収納空間Ｇの間には部分的に仕切りが設けられているが、移動を妨げるものではない。つまり、作業空間付き収納室Ｃへ入る際は、部屋Ｄより作業空間Ｆを経由して収納空間Ｇに入る構成になされている。
【００３１】
作業空間Ｆは、部屋Ｄに隣接して設けられている。作業空間Ｆの天井高さは１７５０ｍｍ以上であればよく、本実施例では部屋Ｄと同じ天井高さの２４００ｍｍになされている。幅方向の長さについては２２５０ｍｍになされている。奥行き方向については６００ｍｍから１４００ｍｍの長さであればよく、本実施例では、かがみこむ動作が行い易い９００ｍｍの長さになされている。また、作業空間Ｆと部屋Ｄとは、同一の床レベルになされている。また、床仕上げ、壁仕上げ、天井仕上げは部屋と同一の仕上げとなされている。
なお、この本実施例の作業空間Ｆ内には、座面高さが変更可能なキャスター付きチェアー４が置かれている。
【００３２】
収納空間Ｇは、上記作業空間Ｆに連続して設けられている。収納空間Ｇの天井高さは８００ｍｍか以上１６００ｍｍ以下であればよく、本実施例では１４００ｍｍになされている。幅方向の長さについては２２５０ｍｍになされている。奥行き方向については１８００ｍｍ以上の長さであればよく、本実施例では、収納量を確保するため２７００ｍｍの長さになされている。また、床仕上げ、壁仕上げ、天井仕上げは部屋Ｄと同一の仕上げとなされている。なお、天井高さを１４００ｍｍ以下にすることで、収納空間Ｇの面積の下階床面積の１／２以下までの面積は、建築基準法上延べ床面積に算入しなくともよいため、収納スペースを効率的に確保でき有効である。
【００３３】
作業空間Ｆの収納空間Ｇ側の側面上方、つまり標準の天井高さの建物ユニットＢ１と天井高さの低い建物ユニットＢ２の高さの違いが生じた部分に、開口部５として作業空間Ｆの幅方向全体に亘って透明なガラス窓が設けられている。この開口部５は開閉自在であり、自然光だけなく、外気を取り入れることも可能になされている。
【００３４】
次に、本発明の作業空間付き収納室Ｃ内の使用方法について説明する。使用者は、部屋Ｄの壁面にある作業空間付き収納室Ｃの出入口３の扉を開き、収納物を持って作業空間Ｆ内に進入する。この際、２１００ｍｍの高さがあるので、かがむことなく立ったままの状態で進入することできる。作業空間Ｆ内に進入後、作業空間付き収納室Ｃの出入口の扉を閉める。そして、作業空間Ｆ内でかがみこみ、天井高さの低い収納空間Ｇ内に進入し、収納空間Ｇ内の適切な位置に収納物を収納する。よって、部屋からかがみこんだ動作が見えることはない。なお、作業空間Ｆ内でキャスター付きチェアー４に座り、座った状態のまま収納空間Ｇ内に進入し、収納空間Ｇ内の適切な位置に収納物を収納してもよい。キャスター付きチェアー４を使用することで、楽に収納空間Ｇ内を移動することができる。またこの際、昼間であれば側面上部にある開口部５により自然光が採り入れられ、作業空間付き収納室Ｃ内が明るい状態とできる。また、開口部５を開閉することで、作業空間付き収納室内Ｃに外気が取り入れられ換気を行うことができる。
【００３５】
本発明の構成によれば、部屋Ｄから作業空間Ｆに出入りするための出入口３の有効高さが１７５０ｍｍ以上になされているので、一般的な身長の人であれば、かがんだ動作をとることなく容易に作業空間付き収納室Ｃの作業空間Ｆに出入りすることができる。そして作業空間Ｆに進入後に、出入口３の建具を閉めて、作業空間Ｆ内でかがみこみ天井高さの低い収納空間Ｇに進入することができるため、部屋の中で、かがみこむ見苦しい動作をとる必要がない。
【００３６】
作業空間Ｇが部屋との境より奥行き方向へ６００ｍｍから１４００ｍｍに構成されているので、作業空間Ｇ内でかがみこむ動作が容易に行うことができる作業領域が確保され、かつ無駄に大き過ぎることもない。また、収納空間Ｇが作業空間Ｆとの境より奥行き方向に１８００ｍｍ以上設けられていることで十分な収納量を確保することができる。
【００３７】
作業空間Ｆの側面上部に開口部５を設けることにより、作業空間付き収納室Ｃ内に光を採り入れたり、換気を行ったりすることができる。また、開口部５の存在により作業空間付き収納室内に開放感が生まれ、実際より広く感じる効果もある。特に収納空間Ｇの上部に上階を設けない場合は、作業空間Ｆの収納空間Ｇ側の側面上部に開口部５を設けることで自然光を採り入れたり、外気を取り入れて換気することもでき有効である。
【００３８】
作業空間付き収納室Ｃの出入口３が、部屋Ｄの廊下Ｅとの出入口２と同一高さになされることで、部屋Ｄ内の出入口の高さが揃い統一感が生まれる。また、作業空間付き収納室Ｃの出入口として専用の建具を作製する必要もない。
【００３９】
なお、本実施例では、作業空間付き収納室Ｃの上部に、上階を設けない構成としたが図３のように上階を設けた構成であっても良い。また、本実施例では、部屋をリビングとしたが、ダイニング、和室、廊下、玄関ホール、洗面所等としてもよい。
【００４０】
以上、本発明の実施例を説明したが、本発明は上記実施例に限定されるものではなく、本発明の要旨を逸脱しない範囲の設計変更があっても本発明に含まれるのは勿論である。
【産業上の利用可能性】
【００４１】
天井高の低い収納室への出入りする際であっても部屋内でかがむ動作を行う必要のない作業空間付き収納室として有効である。
【図面の簡単な説明】
【００４２】
【図１】本発明の実施例である作業空間付き収納室の断面図である。
【図２】本発明の実施例である作業空間付き収納室を有する建物の断視図である。
【図３】本発明の実施例である作業空間付き収納室を有する建物の変形例の断視図である。
【符号の説明】
【００４３】
Ａ１、Ａ２        ユニット建物
Ｂ１              標準天井高さの建物ユニット
Ｂ２              天井高さの低い建物ユニット
Ｂ３              天井高さの高い建物ユニット
Ｃ                作業空間付き収納室
Ｄ                部屋
Ｅ                廊下
Ｆ                作業空間
Ｇ                収納空間
１ａ，１ｂ，１ｃ  壁面        
２                出入口
３                出入口
４                キャスター付きチェアー
５                開口部
【図１】
2007063866.tif 000003
【図２】
2007063866.tif 000004
【図３】
2007063866.tif 000005